(57)【要約】【課題】  スピーカをキャビネットに確実に装着し、スピーカのビビリ音の発生を防止するようにした音響装置およびテレビジョンを提供することを目的とする。【解決手段】  スピーカ３１を、キャビネット４の内壁に固定する固定部材５を設ける。キャビネット４の内壁の支持部４３の外側には、固定部材５を保持する保持部４４を形成し、この保持部４４は、断面形状がＬ字状の保持片４４ａ、４４ｂを一対として、キャビネット４の内壁に互いに向かい合うように配設する。固定部材５は、断面形状がコ字状に形成され、取付フランジ３２を固定する固定部５１と、この固定部５１から脚部５２を介して保持部４４に挿入して装着される台座部５３とを備え、この台座部５３を保持部４４により保持した状態で、支持部４３にクッション材６を介してスピーカ３１を載置するとともに、固定部５に、取付フランジ３２を固定する。【選択図】図３
2009100248.tif 000002
【特許請求の範囲】
【請求項１】
前面に取付フランジを有するスピーカと、このスピーカを収納するキャビネットとを備え、前記キャビネットは、前記スピーカに対向する部分にバッフルと、このバッフルの外周に、前記スピーカを支持する支持部とを設けてなる音響装置において、
前記スピーカを、前記キャビネットの内壁に固定する固定部材を更に備え、前記キャビネットの内壁の前記支持部の外側には、前記固定部材を保持する保持部を形成し、この保持部は、断面形状がＬ字状の保持片を一対として、前記キャビネットの内壁に互いに向かい合うように配設してなり、前記固定部材は、断面形状がコ字状に形成され、前記取付フランジを固定する固定部と、この固定部から脚部を介して前記保持部に挿入して装着される台座部とを備え、この台座部を前記保持部により保持した状態で、前記支持部にクッション材を介して前記スピーカを載置するとともに、前記固定部に、前記取付フランジを固定したことを特徴とする音響装置。
【請求項２】
前記固定部材の脚部の高さが、前記支持部の高さと同一若しくは若干低く設定したことを特徴とする請求項１に記載の音響装置。
【請求項３】
前記支持部および前記保持部を、キャビネットと一体に樹脂成型により形成したことを特徴とする請求項１に記載の音響装置。
【請求項４】
前記固定部材は、樹脂成型により形成され、前記固定部にネジ孔が設けられ、当該固定部材に前記スピーカを固定する際、前記取付フランジ側から締結部材により、当該固定部材を誘引するようにして固定したことを特徴とする請求項１に記載の音響装置。
【請求項５】
アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する画像表示手段と、前記テレビジョン受信手段からの出力信号に基づいて音声を発する音響装置と、電源部と、全体的な制御を統括して行う制御手段と、これらテレビジョン受信手段、画像表示部、制御手段、電源部および制御手段を収納するキャビネットと、を備えたテレビジョンにおいて、
前記音響装置は、前面に取付フランジを有するスピーカを前記キャビネットに収納し、前記キャビネットの前記スピーカに対向する部分にバッフルと、このバッフルの外周に、前記スピーカを支持する支持部とを設けてなり、更に、前記スピーカを、前記キャビネットの内壁に固定する固定部材を備え、前記キャビネットの内壁の前記支持部の外側には、前記固定部材を保持する保持部を形成し、この保持部は、断面形状がＬ字状の保持片を一対として、前記キャビネットの内壁に互いに向かい合うように配設してなり、前記固定部材は、断面形状がコ字状に形成され、前記取付フランジを固定する固定部と、この固定部から脚部を介して前記保持部に挿入して装着される台座部とを備え、この台座部を前記保持部により保持した状態で、前記支持部にクッション材を介して前記スピーカを載置するとともに、前記固定部に、前記取付フランジを固定したことを特徴とするテレビジョン。
【発明の詳細な説明】
【技術分野】
【０００１】
本発明は、例えば、スピーカを搭載した音響装置およびテレビジョンに関し、特に、簡単な構成で、かつ、安価に、スピーカをキャビネットに確実に装着し、スピーカのビビリ音の発生を防止するようにしたものである。
【背景技術】
【０００２】
近年、例えば、液晶型のテレビジョンなどの大型化に伴い、音声出力も大出力化する傾向にある。このため、その取付構造によっては、スピーカ自体が振動を起こして、所謂、ビビリ音を発生するといった問題があった。従って、このような、ビビリ音の発生を極力防止することが強く要望される傾向にある。
【０００３】
従来のこの種音響装置としては、例えば、ケース前面と、Ｌ字状の支持桟との間にスピーカを配設し、スピーカをスピーカの背面よりコ字状で、弾発片を有するスピーカホルダーを用いて保持するようにしたものがある(例えば、特許文献１参照）。また、スピーカの底面に結合されたコ字状で、自由端が鉤状の爪を有するばねを、ドアパネルに設けられた穴に、ばねを変形させながら差し込むことによりスピーカをドアパネルに固定したものがある（特許文献２参照）。また、スピーカの背面と、ボックスとの間に金属弾性板を介して、スピーカを固定したものがある（特許文献３参照）。
【０００４】
また、テレビジョンキャビネットに設けられた周壁に、弾性体を介してスピーカを配置し、スピーカの背面から筒状鉄心を弾性部材により包囲し、取付アームを取付ボスに固定したものがある（特許文献４参照）。更には、合成樹脂により、スピーカの磁気回路および振動系を装着するフレーム主体を形成し、フレーム主体の外周部に、フレーム取付部を、弾性結合部材を介して設けるようにし、フレーム取付部をボスに固定したものがある(特許文献５参照）。
【特許文献１】特開平８−１１６５８２号公報
【特許文献２】特開２００１−２４５３７４号公報
【特許文献３】特開平９−２４７７８０号公報
【特許文献４】特開２００１−３０９２７７号公報
【特許文献５】特開平８−２８９３９３号公報
【発明の開示】
【発明が解決しようとする課題】
【０００５】
しかし、前述の特許文献１記載の構成では、弾発片などを備えた複雑な形状のスピーカホルダーが必要であり、製作コストが高騰する他、強度面においてもスピーカの大型化に対応しきれないなどといった問題があった。また、特許文献２記載の構成では、車載用など小型のスピーカに対応するものであって、この種スピーカの大型化に対応しきれないなどといった問題があった。また、特許文献３記載の構成では、スピーカの背面を背面キャビネットから押さえつけるものであり、前面を固定するスピーカには適用できない。
【０００６】
また、特許文献４記載の構成では、弾性部材や取付アームなどの構造が複雑となり、製作コストが高騰するなどといった問題があった。更には、特許文献５記載の構成では、フレーム主体を特別な形状となり、やはり製作コストが高騰する他、この種スピーカの大型化に対応しきれないなどといった問題があった。
【０００７】
本発明は、上述した問題を解決するためになされたものであり、簡単な構成により、かつ、安価な構成で、スピーカをキャビネットに確実に装着し、スピーカのビビリ音の発生を防止するようにした音響装置およびテレビジョンを提供することを目的とする。
【課題を解決するための手段】
【０００８】
かかる目的を達成するため、本発明では、前面に取付フランジを有するスピーカと、このスピーカを収納するキャビネットとを備え、キャビネットは、スピーカに対向する部分にバッフルと、このバッフルの外周に、スピーカを支持する支持部とを設けてなる音響装置において、スピーカを、キャビネットの内壁に固定する固定部材を更に備え、キャビネットの内壁の支持部の外側には、固定部材を保持する保持部を形成し、この保持部は、断面形状がＬ字状の保持片を一対として、キャビネットの内壁に互いに向かい合うように配設してなり、固定部材は、断面形状がコ字状に形成され、取付フランジを固定する固定部と、この固定部から脚部を介して保持部に挿入して装着される台座部とを備え、この台座部を保持部により保持した状態で、支持部にクッション材を介してスピーカを載置するとともに、固定部に、取付フランジを固定する。
【０００９】
この構成によれば、スピーカを、支持部にクッション材を介して載置するとともに、断面形状がコ字状に形成された固定部材の台座部を保持部により保持した状態で、固定部に、スピーカの取付フランジを固定している。従って、スピーカを固定するための部材は、断面形状がコ字状の固定部材および断面形状がＬ字状の保持片からなる保持部であり、その形状は、極めてシンプルであり、安価に製作することができる。また、固定部材は、断面形状がコ字状であり、その構成から弾性としての機能を奏し、従来のゴムブシュ同様の機能を呈するので、スピーカのビビリ音の発生を防止することができる。
【００１０】
また、本発明においては、固定部材の脚部の高さが、支持部の高さと同一若しくは若干低く設定する。この構成によれば、固定部材の脚部の高さが、支持部の高さと同一若しくは若干低く設定されているので、固定部材と、スピーカの取付フランジとの間に、少なくとも、クッション材の厚み分に相当する隙間ができる。この結果、当該隙間により、スピーカを固定部材に締め付ける際、締め付け力を適度に調整しながら確実に固定することができ、都合がよい。
【００１１】
また、本発明においては、支持部および保持部を、キャビネットと一体に樹脂成型により形成する。この構成によれば、キャビネットと一体に支持部および保持部が樹脂成型により形成されている。従って、支持部および保持部を別途製作する必要がない他、部品点数が増加しないので、都合がよい。
【００１２】
また、本発明においては、固定部材は、樹脂成型により形成され、固定部にネジ孔が設けられ、当該固定部材にスピーカを固定する際、取付フランジ側から締結部材により、当該固定部材を誘引するようにして固定する。この構成によれば、固定部材は、樹脂成型により形成されているので、その製作は極めて簡単である。しかも、スピーカは、取付フランジ側から締結部材により固定部材を誘引するようにして固定しているので、締結部材により締め付け力を適度に調整しながら確実に固定することができ、都合がよい。
【００１３】
更に、本発明においては、アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する画像表示手段と、テレビジョン受信手段からの出力信号に基づいて音声を発する音響装置と、電源部と、全体的な制御を統括して行う制御手段と、これらテレビジョン受信手段、画像表示部、制御手段、電源部および制御手段を収納するキャビネットと、を備えたテレビジョンにおいて、音響装置は、前面に取付フランジを有するスピーカをキャビネットに収納し、キャビネットのスピーカに対向する部分にバッフルと、このバッフルの外周に、スピーカを支持する支持部とを設けてなり、更に、スピーカを、キャビネットの内壁に固定する固定部材を備え、キャビネットの内壁の支持部の外側には、固定部材を保持する保持部を形成し、この保持部は、断面形状がＬ字状の保持片を一対として、キャビネットの内壁に互いに向かい合うように配設してなり、固定部材は、断面形状がコ字状に形成され、取付フランジを固定する固定部と、この固定部から脚部を介して保持部に挿入して装着される台座部とを備え、この台座部を保持部により保持した状態で、支持部にクッション材を介してスピーカを載置するとともに、固定部に、取付フランジを固定する。
【００１４】
この構成によれば、スピーカを、支持部にクッション材を介して載置するとともに、断面形状がコ字状に形成された固定部材の台座部を保持部により保持した状態で、固定部に、スピーカの取付フランジを固定している。従って、スピーカを固定するための部材は、断面形状がコ字状の固定部材および断面形状がＬ字状の保持片からなる保持部であり、その形状は、極めてシンプルであり、安価に製作することができる。また、固定部材は、断面形状がコ字状であり、その構成から弾性としての機能を奏し、従来のゴムブシュ同様の機能を呈するので、スピーカのビビリ音の発生を防止することができ、より大型化に対応した大出力のスピーカを備えたテレビジョンを得ることができる。
【発明の効果】
【００１５】
本発明によれば、簡単な構成により、かつ、安価に、スピーカをキャビネットに確実に固定し、スピーカのビビリ音の発生を防止するようにした音響装置およびテレビジョンを得ることができる。
【発明を実施するための最良の形態】
【００１６】
（第１実施形態）
以下、本発明の一実施形態を図１乃至図５に基づいて説明する。図１は、本発明の一実施形態に係る音響装置を有する液晶型のテレビジョンの概略構成を示すブロック図、図２は、図１に示す液晶型のテレビジョンの概略構成を示す正面図である。図３は、音響装置の概略構成を示す正面断面図、図４は、図３に示す音響装置の要部を示す側面断面図、図５は、図３に示す固定部材と保持部との関係を示す斜視図である。
【００１７】
図１に示すように、例えば、地上デジタルのテレビ放送が受信できる液晶型のテレビジョン１は、テレビジョン受信手段１１と、このテレビジョン受信手段１１からの出力信号に基づいて画像情報を表示する、例えば、液晶表示装置からなる画像表示手段２と、テレビジョン受信手段１１からの出力信号に基づいて音声を発するスピーカなどからなる音響装置３と、装置の全体的な制御を統括して行う制御手段１２と、各部に電力を供給する電源部１３と、操作パネル１４と、これらテレビジョン受信手段１１、画像表示手段２、音響装置３、制御手段１２および電源部１３などを収納するキャビネット４とから構成されている。
【００１８】
液晶型のテレビジョン１は、例えば、図２に示す厚みの薄い略矩形状のキャビネット４により構成されている。キャビネット４は、例えば、スタンド機構１７などにより略鉛直（垂直）に正立され、その正面側に矩形状の開口４１が設けられている。開口４１には、画像情報を表示する表示手段である、画像表示手段２の表示面である液晶パネル２１が嵌め込まれ、この液晶パネル２１において映像などの画像を表示することが可能となっている。また、例えば、画像表示手段２の下方には、音響装置３が配設され、本実施形態では、キャビネット４が、音響装置３のキャビネットを兼ねている。
【００１９】
テレビジョン受信手段１１は、アンテナＡを介して受信した地上デジタルの放送信号の中から、ユーザにより設定入力されたチャンネルの放送信号の選局・復調を行って、映像信号・音声信号を出力する。このテレビジョン受信手段１１は、例えば、地上デジタルの放送信号を選択的に受信する地上デジタルチューナ１１１と、地上デジタルの放送信号を復調する地上デジタル復調部１１２と、復調されたストリーム信号から映像データ、音響データ、番組情報や文字情報や制御データなどを含む付加情報をデコードするＴＳ（Ｔｒａｎｓｐｏｒｔ  Ｓｔｒｅａｍ）デコーダー１１３と、映像データを復号して映像信号を出力するビデオデコーダー１１４と、音響データを復号して音声信号を出力するオーディオデコーダー１１５とから構成されている。
【００２０】
画像表示手段２である液晶表示装置は、液晶パネル２１と、パネル駆動回路２２と、バックライト装置２３と、インバータ回路２４とから構成されている。パネル駆動回路２２は、ビデオデコーダー１１４から入力されたＲＧＢ信号に基づき、液晶パネル２１の画素数（横縦比・ｍ：ｎ）に合わせたスケーリング処理を行い、液晶パネル２１に表示する１画面分の画像データを生成する。そして、この生成された画像データを液晶パネル２１に出力する。バックライト装置２３は、液晶パネル２１の背面に設置され、蛍光ランプなどからなる光源部を備え、液晶パネル２１の背面から光を照射する。インバータ回路２４は、例えば、整流器や昇圧用の変圧器などを備え、電源部１３から供給された直流電圧を、所望の高周波数の交流電圧に変換するとともに、昇圧し、当該交流電圧をバックライト装置２３の光源部に給電し、光源部を点灯させる。
【００２１】
制御手段１２は、装置の全体的な制御を統括して行うマイクロコンピュータ（マイクロコントローラ）から構成されている。この制御手段１２には、作業用のメモリ空間を提供するＲＡＭ（Ｒａｎｄｏｍ  Ａｃｃｅｓｓ  Ｍｅｍｏｒｙ）１５と、制御プログラムや制御データが格納される不揮発性メモリ１６などが接続されている。操作パネル１４には、複数の操作ボタンやリモコン受信部１４１が設けられ外部からの指示操作を受け付けるように構成されている。これにより、制御手段１２は、操作パネル１４およびリモコン受信部１４１を介してリモコンＲから入力される種々のコマンド信号に応じて各部に制御信号を発して所定の動作を行わせる。なお、ＲＡＭ１５や不揮発性メモリ１６はマイクロコンピュータと一体的に集積された構成としても良いのは、勿論である。また、地上デジタルの放送信号には、制御データとして様々な情報が含まれており、その中には、放送局名など放送局を識別する情報、放送局の系列が表わされた系列ＩＤ（“ａｆｆｉｌｉａｔｉｏｎ  ｉｄ”と記述される）、１ｃｈ〜１２ｃｈの選局番号のうち放送局により割り当て用として推奨され選局番号を示すリモコンキーＩＤ（“ｒｅｍｏｔｅ  ｃｏｎｔｒｏｌ  ｋｅｙ  ｉｄ"と記述される）などがある。そして、これらのデータは、ＴＳデコーダー１１３においてデコードされて制御手段１２へ送られるようになっている。
【００２２】
かかる構成により、ユーザは、例えば、キャビネット４に設けられた操作パネル１４或いはリモコンＲを操作し、所望のチャンネルに合わせることにより、画像表示手段２である液晶表示装置の液晶パネル２１に表示される画像を観ることができ、同時に音響装置３から音声を聴くことができる。
【００２３】
而して、本発明に従い、音響装置３は、図３乃至図５に示すように、液晶型のテレビジョンの筐体を兼ねたキャビネット４内にスピーカ３１収納し、このスピーカ３１は、前面に取付フランジを有する。キャビネット４のスピーカ３１に対向する部分には、バッフル４２が設けられ、このバッフル４２の外周に、スピーカ３１を支持する支持部４３が形成されている。また、キャビネット４の内壁の支持部４３の外側には、後述する固定部材５を保持する保持部４４が形成されている。支持部４３は、スピーカ３１をクッション材６介して載置するものであり、スピーカ３１を支持する形状であれば良く、例えば、スピーカ３１の取付フランジ３２の形状に相似する円形、或いは、楕円形などの支持桟として構成しても良い。また、保持部４４は、断面形状がＬ字状の保持片４４ａ、４４ｂを一対として、キャビネット４の内壁に互いに向かい合うように配設してある。これら支持部４２および保持部４２は、例えば、キャビネット４と一体に樹脂成型により形成してもよい。また、図示する実施形態では、保持部４４は、左右（図３において）にそれぞれ１組設けたが、保持部４４は、スピーカ３１の大きさにより、例えば、更に上下にも設け、これに対応して、固定部材５を４個用い、スピーカ３１を固定部材５に固定するようにしてもよいのは、勿論である。
【００２４】
固定部材５は、スピーカ３１を、キャビネット４の内壁に固定するためのもので、例えば、樹脂成型により断面形状がコ字状に形成され、取付フランジ３２を固定する固定部５１と、この固定部５１から脚部５２を介して保持部４４に挿入して装着される台座部５３とを備えている。固定部５１には、取付フランジ３２を、例えば、ボルト、ネジなどの締結部材７で固定するためのネジ孔５１ａが設けられている。このように、樹脂成型により形成された固定部材５は、その構成から固定部５１と、台座部５３との間で、弾性としての機能を備えている。また、この弾性力は、その厚みや、形状、更には、材質などを適宜選定することにより、共振周波数を変えることができる。
【００２５】
かかる構成において、スピーカ３１をキャビネット４に固定するには、先ず、取付フランジ５を、保持部４４の一対の保持片４４ａ、４４ｂに形成された保持間隙４５（図５参照）に矢印で示す方向に挿入し、保持しておく。その後、支持部４２にクッション材６を介在させ、その上にスピーカ３１を載置する。しかる後、スピーカ３１の配設位置を確認後、取付フランジ３２側からボルト、ネジなどの締結部材７により、固定部材５を誘引するようにして、取付フランジ３１を固定部５１に固定する。
【００２６】
以上の構成による本実施形態によれば、スピーカ３１を、支持部４３にクッション材６を介して載置するとともに、断面形状がコ字状に形成された固定部材５の台座部５３を保持部４４により保持した状態で、固定部５１に、スピーカ３１の取付フランジ３２を固定している。従って、スピーカ３１を固定するための部材は、断面形状がコ字状の固定部材５および断面形状がＬ字状の保持片４４ａ、４４ｂからなる保持部４４であり、その形状は、極めてシンプルであり、安価に製作することができる。また、固定部材５は、断面形状がコ字状であり、その構成から弾性としての機能を奏し、従来のゴムブシュ同様の機能を呈するので、スピーカ３１のビビリ音の発生を防止することができ、より大型化に対応した大出力のスピーカ３１を備えたテレビジョンを得ることができる。
【００２７】
また、本実施形態によれば、固定するスピーカ３に対応して、所望の弾性力を有する固定部材５を選ぶことがでるので、不要な共振（ビビリ）を効果的に低減することができ、都合がよい。
【００２８】
また、本実施形態によれば、キャビネット４と一体に支持部４３および保持部４４が樹脂成型により形成されている。従って、支持部４３および保持部４４を別途製作する必要がない他、部品点数が増加しないので、都合がよい。
【００２９】
更に、本実施形態によれば、固定部材５は、樹脂成型により形成されているので、その製作は極めて簡単である。しかも、スピーカ３１は、取付フランジ３２側からボルト、ネジなどの締結部材７により固定部材５を、取付フランジ３２側に誘引するようにして固定しているので、締結部材７により締め付け力を適度に調整しながら確実に固定することができ、都合がよい。
【００３０】
（第２実施形態）
次に、本発明の他の実施形態について図６を参照しながら説明する。図５は、本発明の他の実施形態に係る音響装置の概略構成を示す要部断面図である。なお、図６において、上述した図１乃至図５と同じ符号を付した部分は、略同一のものを示すため、ここでは詳細な説明は省略する。以下、上述した第１実施形態との相違点を中心に説明する。
【００３１】
本実施形態では、図６に示すように、断面形状がやや丸みをおびた（Ｕ字形状）コ字状の固定部材５とし、その脚部５２の高さｈ１が、支持部４３の高さｈ２と同一若しくは若干（１〜１０ｍｍ程度）低く設定し、取付フランジ３２と、固定部５１との間に、少なくとも、クッション材６の厚みｔ分に相当する隙間Ｓを設けるようにしたものである。
【００３２】
以上の構成による本実施形態よれば、上述した第１実施形態と同様の作用効果を奏する他、固定部材５の脚部５２の高さｈ１が、支持部４２の高さｈ２と同一若しくは若干低く設定されているので、固定部材５と、スピーカ３１の取付フランジ３２との間に、少なくとも、クッション材６の厚みｔ分に相当する隙間Ｓができる。この結果、当該隙間Ｓにより、スピーカ３１を固定部材５に締め付ける際、その締め付け力を適度に調整しながら確実に固定することができ、都合がよい。
【００３３】
なお、上述した各実施形態は、本発明の好適な実施例であるが、本発明はこれに限定されるものではなく、本発明の要旨を逸脱しない範囲において、種々変形実施可能である。
【００３４】
例えば、上述した実施形態では、音響装置３を、液晶型のテレビジョン１に用いた場合について詳述したが、他の薄型のテレビジョンや、音響装置を分割した別置き型にしたテレビジョンに本発明を適用してもよいのは、勿論である。
【図面の簡単な説明】
【００３５】
【図１】本発明の一実施形態に係る音響装置を有する液晶型のテレビジョンの概略構成を示すブロック図である。
【図２】図１に示す液晶型のテレビジョンの概略構成を示す正面図である。
【図３】音響装置の概略構成を示す正面断面図である。
【図４】図３に示す音響装置の要部を示す側面断面図である。
【図５】図３に示す固定部材と保持部との関係を示す斜視図である。
【図６】本発明の他の実施形態に係る音響装置の概略構成を示す要部断面図である。
【符号の説明】
【００３６】
１      液晶型のテレビジョン
１１    テレビジョン受信手段
１２    制御手段
１３    電源部
２      画像表示手段（液晶表示装置）
３      音響装置
３１    スピーカ
３２    取付フランジ
４      キャビネット
４２    バッフル
４３    支持部
４４    保持部
４４ａ  保持片
４４ｂ  保持片
５      固定部材
５１    固定部
５２    脚部
５３    台座部
６      クッション材
７      締結部材
Ａ      アンテナ
Ｓ      隙間
【図１】
2009100248.tif 000003
【図２】
2009100248.tif 000004
【図３】
2009100248.tif 000005
【図４】
2009100248.tif 000006
【図５】
2009100248.tif 000007
【図６】
2009100248.tif 000008